(57)【要約】【課題】本発明の課題は、騒音を伴う作業具の作用部による作業対象物の接触による騒音において、作業対象物の面とその母体を伝わる減衰波部分による騒音と、作業対象物の面での凹凸面の隙間から外部に逃げる騒音を消音可能な作業具に取り付け可能な遮音具を提供することである。【解決手段】作業具の作用部又は作業具のボディーに遮音具を取り付ける取り付け具と、作業対象物の面の凹凸に密着するためのものであり、かつ、作用部を中心した径方向に幅を有する圧縮伸張部を先端に有するところの作業面覆い部とを有し、作業面覆い部は、支持体を介して、取り付け具に連結し、作用部を囲み覆うように取り付けられている構成としたことを特徴とする。【選択図】図１
2011156594.tif 000002
【特許請求の範囲】
【請求項１】
作業具に取り付けて、前記作業具の作用部が接触する作業対象物と前記作用部との間で発生する接触音を遮音する遮音具であって、前記作用部を中にして、前記作用部の入るべき空間を空隙部となるように接触音の発生部を覆い、かつ、遮音性を有し、柔軟に収縮伸張する伸縮体によって作業対象物の作業面の凹凸に密着して、前記作用部と前記作業対象物との直接的接触音の遮音と前記作業対象物の面と前記作業対象物の母体を伝わる前記接触音の減衰波部分の遮音と前記作業対象物の作業面での凹凸面の隙間から外部に逃げる騒音の遮音とを行うところの作業面覆い部と、前記作業面覆い部を前記作業具に取り付け固定するための取り付け具と、前記作業面覆い部と前記取り付け具の間にあって、前記作業面覆い部を前記取り付け具に支持する支持体とを有することを特徴とする騒音を伴う作業具の遮音具。
【請求項２】
前記作業面覆い部は、多数の袋からなるエアマット、発泡性合成樹脂、スポンジ、発泡性ゴムのいずれかの素材で横幅と厚みを有し、前記横幅は、前記作業面覆い部の前記空隙部となる側の径は前記作用部の入るべき大きさであり、前記作業対象物の面と前記作業対象物の母体を伝わる前記接触音の減衰波部分を遮音するように外側の径により与えられ、前記厚みは、前記直接的接触音と前記接触音の減衰波部分による間接的接触音を遮音するものであることを特徴とする請求項１記載の騒音を伴う作業具の遮音具。
【請求項３】
前記横幅を決める前記作業面覆い部の外径は半径１００ｍｍ以上、厚み１００ｍｍ以上であることを特徴とする請求項２記載の騒音を伴う作業具の遮音具。
【請求項４】
前記作業面覆い部の伸縮体はバネ又はネットであり、
前記作業面覆い部は、壁面又は床面側に向いた筒部と、前記バネによりこれに出し入れ可能に取り付けられた棒部を有し、前記棒部の先端部と隣の棒部の先端部には、壁面又は床面側に向かう第二のバネ又は、多数の袋からなるエアマット、発泡性合成樹脂、スポンジ、発泡性ゴムのいずれかの伸縮体があって、筒部と棒部と第二のバネ又は前記伸縮体には、遮音シート又は遮音シートを張ったネットを有することを特徴とする請求項１記載の騒音を伴う作業具の遮音具。
【請求項５】
前記作業面覆い部を前記取り付け具に支持する支持体は、前記遮音シートを取り付けたことで遮音性を有し、剛性のある傘又は椀状の固定形状又は、開閉可能な傘の骨枠形状を有することを特徴とする請求項４記載の騒音を伴う作業具の遮音具。
【請求項６】
前記支持体又は及び前記作業面覆い部は、前記作用部が見えるように透明であるか、又は、遮音性で透明な窓を有することを特徴とする請求項１から請求項５のいずれか１つに記載の騒音を伴う作業具の遮音具。
【請求項７】
前記支持体に面合するように、前記作業面覆い部には、前記作業対象物の面から離れる側の上端に固定された鍔部を有し、前記面合した状態でネジ又ははさみ込みにより、前記鍔部を前記支持体に固定、取り外しを可能としたことで、前記作業面覆い部を前記支持体に付設、取り外しすることを可能としたことを特徴とする請求項１から請求項３、請求項６のいずれか１つに記載の騒音を伴う作業具の遮音具の交換部品。
【請求項８】
作業者が着用して使用するものであって、肩当又は首に結ぶ結接帯と、前記作業者の着用を想定した場合に、前記作業者の前記肩当または前記結接帯から少なくとも前側に、かつ、下側に曲がって延びた、剛性のある細長い帯状体又は棒状体であるところの遮音シート形状確保のためのシート保持具と、前記肩当又は前記結接帯と前記シート保持具に被せられ、前記作業者の首及び頭を出す穴を有し、かつ、少なくとも前側が透明である遮音シートによるマントとを有することを特徴とする騒音を伴う作業具の遮音具。
【請求項９】
前記マントの下側に接続して、多数の袋からなるエアマット、発泡性スポンジ、発泡性ゴムのいずれかにより構成されたことで収縮伸張性を有し、作業対象物の面に密着する作業面覆い部を有したことを特徴とする請求項８記載の騒音を伴う作業具の遮音具。
【発明の詳細な説明】
【技術分野】
【０００１】
本発明は、騒音を伴う作業具に付設して、作業により発生する騒音を遮音するための遮音具及びその交換部品に関するものである。
特に、使用頻度の多い作業具としてハツリ装置に適用すると、作業対象物へ接触する作用部であるチゼルによるハツリ面（作業対象物の面）との間で発生する接触騒音を遮音することが出来るので、ハツリ装置を主な例に上げ、以下説明する。
【背景技術】
【０００２】
従来、コンクリート面等を破砕するために、チゼル（ノミ）の接触によるハツリが行われている。その際、ハツリ装置の周辺には、二種の騒音が発生している。１つは、圧縮空気の排出時の騒音であり、もう１つは、チゼルとコンクリート面との接触による騒音である。特許文献１では、前者の圧縮空気の排出時の騒音の遮音を対象にしたものであり、本発明による遮音具は、後者のチゼルとコンクリート面との接触による騒音の遮音を対象にしたものである。特許文献２には、コンクリート面との接触による騒音の遮音を対象にしたチゼルの先端まで延びた防音部材３９で囲んだケーシング２１が明細書及び図面にあるが、ケーシングの板又は層がコンクリート面の横に広がった、所謂、肉厚構造でないため、コンクリート面とコンクリート母体を伝わる騒音の減衰波を遮音することには対応できていないこと、及び、ハツリが行われている中間状態でのコンクリートのハツリ面での凹凸面に対応できていないため、凹凸面の隙間から騒音が外部に逃げて遮音性能が上がらないという欠点を有している。
【先行技術文献】
【特許文献】
【０００３】
【特許文献１】特開２００５−２７９９０６
【特許文献２】特開２００８−２７２９１９
【発明の概要】
【発明が解決しようとする課題】
【０００４】
本発明の課題は、前記の不具合を克服するもので、騒音を伴う作業具の作用部（ハツリ装置ではチゼル）による作業対象物（コンクリート）の接触による騒音振動において、作業対象物の面（コンクリート面）と作業対象物の母体を伝わる減衰波部分の遮音に対応でき、作業対象物の面での凹凸面の隙間から外部に逃げる騒音の遮音にも対応できるものであって、作業具に付設又は作業者の身につけて使用できる騒音を伴う作業具の遮音具を提供することである。
【課題を解決するための手段】
【０００５】
本発明の騒音を伴う作業具の遮音具は、作業具の作用部（例えば、ハツリ装置においてはチゼル）又は作業具のボディーに遮音具を取り付ける取り付け具と、被作業対象物の作業面の凹凸に密着するためのものであり、かつ、作用部を中心した径方向に幅を有する圧縮伸張部を先端に有するところの騒音遮断のための作業面覆い部とを有し、作業面覆い部は、取り付け具に連結し、作用部を囲み覆うように取り付けられている構成としたことを特徴とする。以下説明する。
【０００６】
請求項１記載の発明は、騒音を伴う作業具の遮音具であって、
作業具に取り付けて、前記作業具の作用部が接触する作業対象物と前記作用部との間で発生する接触音を遮音する遮音具であって、前記作用部を中にして、前記作用部の入るべき空間を空隙部となるように接触音の発生部を覆い、かつ、遮音性を有し、柔軟に収縮伸張する伸縮体によって作業対象物の作業面の凹凸に密着して、前記作用部と前記作業対象物との直接的接触音の遮音と前記作業対象物の面と前記作業対象物の母体を伝わる前記接触音の減衰波部分の遮音と前記作業対象物の作業面での凹凸面の隙間から外部に逃げる騒音の遮音とを行うところの作業面覆い部と、前記作業面覆い部を前記作業具に取り付け固定するための取り付け具と、前記作業面覆い部と前記取り付け具の間にあって、前記作業面覆い部を前記取り付け具に支持する支持体とを有することを特徴とする。
【０００７】
請求項２記載の発明は、請求項１記載の騒音を伴う作業具の遮音具において、前記作業面覆い部は、多数の袋からなるエアマット、発泡性合成樹脂、スポンジ、発泡性ゴムのいずれかの素材で横幅と厚みを有し、前記横幅は、前記作業面覆い部の前記空隙部となる側の径は前記作用部の入るべき大きさであり、前記作業対象物の面と前記作業対象物の母体を伝わる前記接触音の減衰波部分を遮音するように外側の径により与えられ、前記厚みは、前記直接的接触音と前記接触音の減衰波部分による間接的接触音を遮音するものであることを特徴とする。
【０００８】
請求項３記載の発明は、請求項２記載の騒音を伴う作業具の遮音具において、前記横幅を決める前記作業面覆い部の外径は半径１００ｍｍ以上、厚み１００ｍｍ以上であることを特徴とする。
【０００９】
請求項４記載の発明は、請求項１記載の騒音を伴う作業具の遮音具において、前記作業面覆い部の伸縮体はバネ又はネットであり、
前記作業面覆い部は、壁面又は床面側に向いた筒部と、前記バネによりこれに出し入れ可能に取り付けられた棒部を有し、前記棒部の先端部と隣の棒部の先端部には、壁面又は床面側に向かう第二のバネ又は、多数の袋からなるエアマット、発泡性合成樹脂、スポンジ、発泡性ゴムのいずれかの伸縮体があって、筒部と棒部と第二のバネ又は前記伸縮体には、遮音シート又は遮音シートを張ったネットを有することを特徴とする。
【００１０】
請求項５記載の発明は、請求項４記載の騒音を伴う作業具の遮音具において、前記作業面覆い部を前記取り付け具に支持する支持体は、前記遮音シートを取り付けたことで遮音性を有し、剛性のある傘又は椀状の固定形状又は、開閉可能な傘の骨枠形状を有することを特徴とする。
【００１１】
請求項６記載の発明は、請求項１から請求項５のいずれか１つに記載の騒音を伴う作業具において、前記支持体又は及び前記作業面覆い部は、前記作用部が見えるように透明であるか、又は、遮音性で透明な窓を有することを特徴とする。
【００１２】
請求項７記載の発明は、請求項１から請求項３、請求項６のいずれか１つに記載の騒音を伴う作業具の遮音具の交換部品において、前記支持体に面合するように、前記作業面覆い部には、前記作業対象物の面から離れる側の上端に固定された鍔部を有し、前記面合した状態でネジ又ははさみ込みにより、前記鍔部を前記支持体に固定、取り外しを可能としたことで、前記作業面覆い部を前記支持体に付設、取り外しすることを可能としたことを特徴とする。
【００１３】
請求項８記載の発明は、騒音を伴う作業具の遮音具であって、作業者が着用して使用するものであって、肩当又は首に結ぶ結接帯と、前記作業者の着用を想定した場合に、前記作業者の前記肩当または前記結接帯から少なくとも前側に、かつ、下側に曲がって延びた、剛性のある細長い帯状体又は棒状体であるところの遮音シート形状確保のためのシート保持具と、前記肩当又は前記結接帯と前記シート保持具に被せられ、前記作業者の首及び頭を出す穴を有し、かつ、少なくとも前側が透明である遮音シートによるマントとを有することを特徴とする。
【００１４】
請求項９記載の発明は、請求項８記載の騒音を伴う作業具の遮音具において、
前記マントの下側に接続して、多数の袋からなるエアマット、発泡性スポンジ、発泡性ゴムのいずれかにより構成されたことで収縮伸張性を有し、作業対象物の面に密着する作業面覆い部を有したことを特徴とする。
【発明の効果】
【００１５】
以上の様に構成されているので、本発明の騒音を伴う作業具の遮音具では、作業具の作用部又は作業具のボディーに、取り付け具により取り付けることが出来、作業面覆い部が作用部先端を略中心にしてカバーし、圧縮伸張部が作業対象物の面の凹凸に密着して、作業対象物（コンクリート）の面と作業対象物の母体を伝わる減衰波部分の遮音と作業対象物の面での凹凸面の隙間から外部に逃げる騒音の遮音に対応できる。
【図面の簡単な説明】
【００１６】
【図１】本発明による騒音を伴う作業具の遮音具の一実施態様を示す図である。
【図２】作業対象物であるコンクリート中を伝播する音の減衰を示す図である。
【図３】作業者が本発明に係る騒音を伴う作業具の遮音具を付設した作業具で作業を行う状態を示す図である。
【図４】本発明に係る騒音を伴う作業具の遮音具で消耗交換が可能な部品の一実施態様を示す図である。
【図５】本発明に係る騒音を伴う作業具の遮音具の別の実施態様を示す図である。
【図６】本発明に係る騒音を伴う作業具の遮音具を作業具（ハツリ装置）に取り付けた状態を示す図である。
【図７】本発明に係る騒音を伴う作業具の遮音具の別の実施態様を示す図である。
【発明を実施するための形態】
【００１７】
図１は、本発明による騒音を伴う作業具の遮音具の一実施態様を示す図である。
図２は、作業対象物であるコンクリート中を伝播する音の減衰を示す図であり、これを用いて本発明による騒音を伴う作業具の遮音具の作用を説明する。
先ず、図２の２−Ａにおいて、コンクリート壁２０１（断面で示されている）の上の空間から音（音は実際には粗密波（縦波）であるが、分かりやすく横波で示してある）が、音響パワーの大きさ（強度）として、振幅ＶｄＢで、コンクリート面に入射し、コンクリートの中を減衰しながら伝播し、再び下の空間に音として、振幅ＷｄＢで放射されている。
従って、一般に言われるコンクリートの遮音性能D値は、ＤｄＢ＝ＶｄＢ−ＷｄＢであって、当然、この値は、コンクリート壁の厚さが大きいほど大きくなっている。コンクリート壁の厚さ方向に音が減衰するからである。因みに、日本建築学会発行の「建物の遮音設計資料」から、コンクリート壁の厚みに対するＤ値の目安を掲げると、厚みが１２０ｍｍで４５ｄＢ、１５０ｍｍで５０ｄＢ、２００ｍｍで５５ｄＢとなっている。
これは、コンクリート中を伝わる音の波が、例えば、２００ｍｍを進行すると、５５ｄＢ減衰することを表している。人間の耳は、１０ｄＢ大きくなると、２倍に聞こえる性質があるので、例えば、音源からコンクリートの中を２００ｍｍの離れたところでは、５５ｄＢの遮音となり、２の５．５乗分の１（１／４５）に聞こえます。
【００１８】
２−Ｂにおいて、コンクリート床（又は壁）２０２を騒音を伴う作業具としてのハツリ装置の作用部であるチゼル２０３が打撃すると、その打撃振動（接触騒音）が打撃位置部２０４に発生し、コンクリート床（又は壁）２０２の中を伝播する。２−Ａと同じく、打撃位置部２０４から離れるほど打撃振動２０５は減衰する。各位置の空気は、各位置の打撃振動２０５により振られ、打撃振動２０５のパワーに応じた二次的（間接的）空気振動２０６が発生し、騒音を発生する。勿論、最も多きいのは、打撃位置部２０４において、チゼル２０３がコンクリート床（又は壁）２０２にぶつかって発生する直接音である。これらの直接音と、間接音を除くには、コンクリート床（又は壁）２０２の振動をチゼル２０３を中心にして、所望の遮音性能Ｄ値を得る距離だけ、吸音材による覆い部２０７で覆い、コンクリート床（又は壁）２０２の振動が空気に伝わらないことが必要である。たとえば、２−Ａの例から、例えば、２００ｍｍの半径の円の面を覆うと、コンクリート床を経由して漏れる音は、５５ｄＢ減衰したものと考えられます。
ここで大切なことは、コンクリート床（又は壁）２０２は、作業が進行すると、コンクリートの破れにより表面に凹凸が発生することです。この凹凸と覆いの隙間から、音が漏れてくると、覆いによる遮音性能が落ちます。従って、この凹凸に応じて、覆いは柔軟に収縮伸張し、覆いと凹凸の接触が緊密になることが必要です。又、コンクリートの凹凸の面に接触する覆いは、遮音性能を得るためには、作用部（チゼル）を中心とした径方向に幅が必要です。遮音具において作用部が収まる位置を中心穴にし、収縮伸張する柔軟な吸音材による覆い部を径方向に幅を持ったドーナツ状にし、収縮伸張する柔軟な作業面覆い部の上部には、音が漏れないように閉じられた傘部があり、吸音され、傘部は取り付け具により、作業具（ハツリ装置）に固定されるようにすることで、打撃（接触）音による音を遮蔽することが出来ます。
ここで、収縮伸張する柔軟な吸音材としては、エアマット、スポンジ、ゴム、発泡性ゴム、発泡性ウレタン、蛇腹状ゴムなどを用いることが出来る。
次に具体的実施例として、騒音を伴う作業具としてハツリ装置を例にして、図１から図７を用いて説明する。カッターやソーなど他の作業具にも適用できることは言うまでもない。
【実施例】
【００１９】
図１は、本発明による騒音を伴う作業具の遮音具の一実施態様を示す図である。
１−Ａにおいて、略円形で所望の厚みを持った柔軟に収縮伸張する伸縮体によるハツリ面覆い部１０１があり、これは、多数の袋からなるエアマットや発泡性スポンジ、発泡性ゴムなどで構成されている。ハツリ面覆い部１０１を支持する支持体１０３は、金属や硬質プラスチックなど剛性のあるもので、この中央には、ハツリ装置に取り付けるための取り付け具１０４が付いている。取り付け具は、ハツリ装置のはめ込むための径の穴が開いていて、そのものに切られたメスネジによるねじ込み又は、そのものの横に開いたネジ穴からネジを差し込んで固定するようになっている。尚、支持体１０３は、作業中にチゼルが見えるように透明か、又は透明の窓を持つことが好ましい。
ハツリ面覆い部１０１の中央は、チゼルが収まる場所が空隙部１０２になっている。この図では、円形に空隙部を形成している。従って、ハツリ面覆い部１０１は、穴の開いた円板（ドーナツ状）の様相をしている。ハツリ面覆い部１０１の幅Ｘは、穴の中心から径方向にコンクリート床の中を打撃音が伝播する減衰性を考慮して、遮音性能を満たすように図２での遮音性能Ｄ値を考慮して行われる。例えば、空隙部の半径を５０ｍｍとし、ハツリ面覆い部１０１の外側端までの径を２００ｍｍとすると、図２の例から、５５ｄＢの音の減衰を得ることが出来、ハツリ面覆い部１０１の外側端より内側のより大きい音を、ハツリ面覆い部１０１で吸音して漏らさないことが可能である。ハツリ面覆い部１０１の厚みは、ハツリ面覆い部１０１を構成する遮音材の材質の遮音性能によって決めることに成る。例えば、発泡ウレタンで厚み１２０ｍｍの遮音性能は、３２dＢの減衰を得ることができ、１００ｄＢの騒音を６８ｄＢに減らすことが可能である。さらに、２枚の発泡ウレタン６０ｍｍの間に、他の遮音材、例えば、鉛シート０．３ｍｍ等を挟むなど複合化が可能である。尚、空隙部１０２は、ハツリ面覆い部１０１のみならず、支持体１０３の中まで延びて付設されていてもよい。又、空隙部１０２の形状は通常は円形の柱状であるが、必ずしも円形にこだわらない。１−Ａにおいては、ハツリ面覆い部１０１と空隙部１０２と支持体１０３のいずれも円柱状であった。尚、ハツリ面覆い部１０１は、発泡性なので、水その他の液体を含ませることで、埃の遮断、遮音性が更によくなるのは好都合である。
【００２０】
１−Ｂから１−Ｄには、ハツリ面覆い部１０１と空隙部１０２と支持体１０３の色々の形状の変形を示している。１−Ｂでは、ハツリ面覆い部１０１と空隙部１０２は円柱状、支持体１０３が円錐台状であり、１−Ｃでは、ハツリ面覆い部１０１は円柱状、空隙部１０２は円錐状、支持体１０３が円錐台状であり、１−Ｄでは、作業者の足を置く位置で、ハツリ面覆い部１０１と支持体１０３が凹んだ形状をしたものである。１−Ｅでは、ハツリ面覆い部１０１の伸縮性材料として蛇腹状ゴムを用いた例である。
【００２１】
図３は、作業者が本発明に係る騒音を伴う作業具の遮音具を付設したハツリ装置でハツリ作業を行う状態を示す図である。３−Ａは、図１の１−Ａから１−Ｃに対応する遮音具をつけた状態であり、作業者は少し前かがみになった状態で作業するので、足が遮音具に当らない。３−Ｂでは、図１の１−Ｄの遮音具をつけた状態であり、作業者は直立の姿勢で作業をしても足は、遮音具に当らない。足の先の近くの遮音具が凹んでいるからである。ハツリ装置が重く、作業者が押し付けなくとも自重で作業を行うことが出来る場合に好都合である。
【００２２】
図４は、本発明に係る騒音を伴う作業具の遮音具で消耗交換が可能な部品の一実施態様を示す図である。４−Ａにおいて、ハツリ装置の遮音具全体４００を示す。遮音具全体４００は、４−Ｂに分解して示すようになっている。図１で示したと同じく、伸縮体によるハツリ面覆い部４０１Ａには、空隙部４０２があり、更に、ハツリ面から離れる側の上端に鍔部４０１Ｂを有していて、この鍔部４０１Ｂがハツリ面覆い部４０１Ａを固定的に支持し、鍔部４０１Ｂと面合するように支持体４０３Ａがあり、この鍔部４０１Ｂと支持体４０３Ａを面合した状態で、ネジ又ははさみ込みにより、鍔部４０１Ｂを支持体４０３Ａに固定することで、ハツリ面覆い部４０１Ａを支持体４０３Ａに付設することを可能とし、ハツリ面覆い部４０１Ａがハツリ作業により、消耗した場合には、ネジ又ははさみ込み４０５を外すことで、ハツリ面覆い部４０１Ａを支持体４０３Ａから外し、新たなハツリ面覆い部４０１Ａを交換することを可能としている。尚、ここでは、ハツリ面覆い部４０１Ａと鍔部４０１Ｂが一緒になった鍔付覆い部４０１が交換部品となっている。尚、鍔部４０１Ｂを支持体４０３Ａに固定することを補助するために、鍔部４０１Ｂ又は支持体４０３Ａと同じような形状の押さえリング４０３Ｂを設けて、鍔部４０１Ｂを支持体４０３Ａと押さえリング４０３Ｂで挟んでネジ締めを行うことも可能である。支持体４０３Ａには、取り付け具４０４が付いていて、ハツリ装置に固定のための取り付け固定ネジ４０６、又は図示されないが、取り付け具４０４に切られたメスネジが付いている。尚、支持体４０３Ａや鍔部４０１Ｂには、透明部または透明窓部を設けることでチゼルの位置を見やすくすることが好都合であることは、前例の通りである。
【００２３】
図５は、本発明に係る騒音を伴う作業具の遮音具の別の実施態様を示す図である。
この遮音具も、柔軟に収縮伸張する伸縮体によるハツリ面覆い部５０１とこれを支持する支持体５０３と、ハツリ装置に取り付けるための取り付け具５０４が付いている。図１の例と同様に、支持体５０３は、金属や硬質プラスチックなど剛性のある骨枠（傘の骨枠状）とこれに傘の布状に張られた遮音シートで出来ている。骨枠はその集まって取り付け具５０４につけられている。ハツリ面覆い部５０１は、図１と違いは、図１の例では、空隙部１０２を有する伸縮性の素材で出来ていたが、図５の例は、自在な伸縮性をバネやネットで与えていて、バネやネットの間に張られた遮音シートがハツリの騒音の空間を覆うようになっている。ハツリは、床面だけでなく縦に立ち上がった壁面をも行うことを考えると、自重により密着するだけでは駄目で、床面あるいは壁面に伸張して、ハツリ面覆い部５０１の先端を密着することが必要である。この伸張する役割をバネやネットが担っている。具体的には、ハツリ面覆い部５０１は、壁面又は床面側に向いた筒部５０６と、バネ５０５によりこれに出し入れ可能に取り付けられた棒部５０７を有し、棒部５０７の先端部５０８と隣の棒部５０７の先端には、外側に向かう（壁面又は床面側に向かう）第二のバネ５０９があって、
筒部５０６と棒部５０７と第二のバネ５０９には、遮音シート又は遮音シートを張ったネット５１０を有している。従って、この例では、６本の筒部５０６と棒部５０７と第二のバネ５０９で囲まれた空間が騒音をカバーする空間となっている。
尚、支持体５０３は、固定的であってもよいし、取り付け具５０４に対して、傘のように開閉する構造でも良い。５−Ｂでは、支持体５０３が開閉する例を示す。骨枠５１１が取り付け具５０４に対して自在に動くようになっている。骨枠５１１は、取り付け具５０４に付けられた穴５１２において、ピン５１３で支持され、ここを支点に回転可能になっている。第三のバネ５１４により骨枠５１１の先端は、取り付け具５０４に取り付けられているので、骨枠５１１は、バネにより内側（傘を閉じる方向）に押し付ける向きで開閉できる例を示す。
尚、傘の骨枠は、枠の形状である必要はない。例えば、椀を伏せたような形状で枠がない形状でも同じである。又、支持体５０３には、透明な遮音シートを貼って遮音を行い、チゼルを見えるようにしている。
【００２４】
図６は、図１及び図５で示した本発明に係る騒音を伴う作業具の遮音具をハツリ装置に取り付けた状態を示す図である。
６−Ａでは、ハツリ装置の本体を示す。チゼル６０１と作業者がつかむハンドル６０２と圧縮空気や電気でチゼル６０１に打撃動作をさせる機動部６０３を有している。
６−Ｂでは、図１に示した遮音具をチゼル６０１に取り付けた例を示す。６−Ｃでは、図１に示した遮音具を機動部６０３に取り付けた例を示す。６−Ｄでは、図１に示した遮音具を機動部６０３まで覆うように長めに作成し、取り付けた例を示している。
６−Ｅでは、図５に示した遮音具を機動部６０３に取り付けた例を示す。
【００２５】
図７は、本発明に係る騒音を伴う作業具の遮音具の別の実施態様を示す図である。これは、作業者が着用して使用するものである。７−Ａにおいて、肩当（又は首に結ぶ結接帯も可）７０１と、肩当７０１から少なくとも一方側に延び、かつ、下側に曲がって延びた、金属など剛性のある細長い帯状体又は棒状体であって、遮音シート形状確保のためのシート保持具７０２と、前記肩当７０１と前記シート保持具７０２に被せられ、作業者の首から頭を出す穴７０５を有し、かつ、少なくとも前側が透明である遮音シートによるマント７０３とを有している。シート保持具７０２が無いと、遮音シート自体に剛性を持たせない限り、マント７０３が下にたれて、作業者の前にハツリを行う空間が作れないので、極めて不都合なものになる。
７−Ｂにおいては、図１の例と同じく、マント７０３の下側にハツリ面覆い部７０４を有するものである。ハツリ面覆い部７０４は、所望の厚みを持った柔軟に収縮伸張する伸縮体であり、これは、多数の袋からなるエアマットや発泡性スポンジ、発泡性ゴムなどで構成されている。
【００２６】
尚、本発明で使用できる遮音シートとしては、遮音シート、吸音シートなどとして市販されているものを利用することが出来る。例えば、日東紡遮音シートＪ−７００、クレハＶＢＲＡＮ＠  Ｃシリーズなど多くのものが有る。
又、多数の袋からなるエアマットや発泡性スポンジ、発泡性ゴムなどで構成されたシートも利用できる。また、遮音性能がやや落ちるが、ビニルシートや厚手の布なども利用できる。
【００２７】
尚、図２で遮音性能を満足するために、遮音材の厚みについて触れたように、本発明の全ての態様について、厚み以外に遮音材層を複数層重ねる構成も取れることは当然である。
以上の記述では、主に、ハツリ装置を例に遮音具を説明したが、カッター、ソー、特に電動やエンジンを積んだこれらの騒音を伴う作業具に適用できることは当然である。
【産業上の利用可能性】
【００２８】
以上のよう本発明に係るハツリ装置の遮音具は、チゼルがコンクリート等のハツリ面を打撃するときに、直接発生する打撃音及び、コンクリートを減衰しながら伝播する振動による間接的打撃音の発生部をカバーし遮音するので、作業の周辺への騒音を気にする必要が無くなり、難聴など作業者の健康上の心配もなくなり、ハツリ装置に簡単に取り付けが可能なので、産業上利用性が極めて大きい。
【符号の説明】
【００２９】
１０１、５０１、４０１Ａ、７０４  ハツリ面覆い部
１０２、４０２  空隙部
１０３、４０３Ａ、５０３  支持体
１０４、５０４  取り付け具
２０１  コンクリート壁
２０２  コンクリート床（又は壁）
２０３、６０１  チゼル
２０４  打撃位置部
２０５  打撃振動
２０６  二次的（間接的）空気振動
２０７  吸音材による覆い部
４００  遮音具全体
４０１  鍔付覆い部
４０１Ｂ  鍔部
４０３Ｂ  押さえリング
４０５  ネジ又ははさみ込み
４０６  取り付け固定ネジ
５０５  バネ
５０６  筒部
５０７  棒部
５０８  先端部
５０９  第二のバネ
５１０  遮音シート又は遮音シートを張ったネット
５１１  骨枠
５１２  穴
５１３  ピン
５１４  第三のバネ
６０２  ハンドル
６０３  機動部
７０１  肩当
７０２  シート保持具
７０３  マント
７０５  穴
【図１】
2011156594.tif 000003
【図２】
2011156594.tif 000004
【図３】
2011156594.tif 000005
【図４】
2011156594.tif 000006
【図５】
2011156594.tif 000007
【図６】
2011156594.tif 000008
【図７】
2011156594.tif 000009